(57)【要約】【課題】  デジタル放送を受信する受信装置において、所望の放送番組表を短時間にモニター上に表示することができるようにする。【解決手段】  受信装置２０は同一の放送局から複数の放送サービスが放送されるデジタル放送に用いられ、少なくとも放送サービス名及び放送サービス毎の放送番組情報を示すサービス情報が付加されたデジタル放送を受信する。メモリ２９には放送局毎にサービス情報が記憶され、制御ＣＰＵ３０では、放送番組情報に基づいて放送サービス毎に放送番組表を生成して表示する。そして、制御ＣＰＵは、現在表示中の放送番組表とは別の放送サービスに係る放送番組表を表示する際、現在表示中の放送番組表と同一の放送番組表である放送サービスが存在するイベント共有があると、イベント共有が存在しない放送サービスまでにスキップして放送番組表の作成を行って表示する。【選択図】        図１
2006080656.tif 000002
【特許請求の範囲】
【請求項１】
同一の放送局から複数の放送サービスが放送されるデジタル放送に用いられ、少なくとも放送サービス名及び放送サービス毎の放送番組情報を示すサービス情報が付加されたデジタル放送を受信する受信装置において、
前記放送局毎に前記サービス情報を記憶する記憶手段と、
前記放送番組情報に基づいて前記放送サービス毎に放送番組表を生成して表示する放送番組表作成手段と、
現在表示中の放送番組表とは別の放送サービスに係る放送番組表を表示する際、現在表示中の放送番組表と同一の放送番組表である放送サービスが存在するイベント共有があると、該イベント共有が存在しない放送サービスまでにスキップして放送番組表の作成を前記放送番組表作成手段に指示する指示制御手段とを備えたことを特徴とする受信装置。
【請求項２】
放送番組表作成手段は、番組表表示指示を受けると現在視聴中の放送サービスに係るサービス情報を記憶手段から検索して放送番組表を作成するようにしたことを特徴とする請求項１記載の受信装置。
【請求項３】
指示制御手段は、番組表スクロール指示を受けると記憶手段を検索して現在表示中の放送番組表とイベント共有にある放送サービスを検出するイベント共有検出手段と、
該イベント共有検出手段によってイベント共有が検出されると、当該イベント共有に係る放送サービスをスキップして放送番組表の作成を放送番組表作成手段に指示する番組表スクロール手段とを備えたことを特徴とする請求項１又は請求項２記載の受信装置。
【請求項４】
イベント共有検出手段によってイベント共有が検出されないと、番組表スクロール手段は、現在表示中の放送番組表に対応する放送サービスの次に位置する放送サービスに係る放送番組表の作成を放送番組表作成手段に指示するようにしたことを特徴とする請求項３記載の受信装置。
【請求項５】
イベント共有検出手段によってイベント共有が検出されると、前記イベント共有が同一の放送局から放送される放送サービス間で存在するか否かを判定する放送局判定手段を備え、
該放送局判定手段によって同一の放送局から放送される放送サービス間でイベント共有が存在すると判定されると、番組表スクロール手段は、当該放送局とは別の放送局で放送される放送サービスにスキップして放送番組表の作成を放送番組表作成手段に指示するようにしたことを特徴とする請求項３記載の受信装置。
【発明の詳細な説明】
【技術分野】
【０００１】
この発明は、デジタル放送を受信する受信装置に関し、特に、デジタル放送において番組ガイドに応じて生成される番組表を表示する際のスキップ機能を備える受信装置に関するものである。
【背景技術】
【０００２】
一般に、デジタル放送においては、一つの放送局から送信されるデジタル放送波には少なくとも一つの放送サービスが含まれており、各放送サービス（サービス名）には、例えば、三桁の番号がサービス識別番号として付与されており、受信装置においてデジタル放送を受信する際には、このサービス識別番号に基づいて所望の放送サービス（放送チャンネル）を選局するようにしている。
【０００３】
通常、デジタル放送においては、電子番組ガイド（Ｅｌｅｃｔｒｉｃ  Ｐｒｏｇｒａｍ  Ｇｕｉｄｅ）サービスが提供されており、この電子番組ガイドによって、例えば、放送サービス名、サービス識別番号、及び当該放送サービス名で放送される放送番組毎の開始時刻及び終了時刻等の情報が提供されており、ユーザは電子番組ガイドによって放送サービス名毎の放送番組を知ることができる。
【０００４】
デジタル放送においては、一つの放送局において放送サービス毎にＳＤ（Ｓｔａｎｄａｒｄ  Ｄｅｆｉｎｉｔｉｏｎ）番組を放送し、一方、全ての放送サービスについて同一のＨＤ（Ｈｉｇｈ  Ｄｅｆｉｎｉｔｉｏｎ）番組を放送することが行われている。つまり、デジタル放送においては、一つのデジタル放送波で一つのＨＤ番組を放送するか又は各放送サービス毎にそれぞれＳＤ番組を放送することができる。そして、一つのデジタル放送波で一つのＨＤ番組が放送される際には、複数の放送サービスにおいて同一のＨＤ番組が共有されることになって、このようなＨＤ番組の共有はイベント共有と呼ばれている。
【０００５】
ところで、受信装置において放送番組表をモニター上に表示する際には、一般に、縦軸を時間とし、横軸をチャンネル（放送サービス名）として放送番組表が表示されるものの、上述のようなイベント共有が生じている際においても、つまり、同一のＨＤ番組であるにもかかわらず、放送サービス毎にＨＤ番組が表示されてしまい、各放送サービスにおいて同一のＨＤ番組が放送されているにもかかわらず、一見して同一の放送番組であることが判断できないことがある。
【０００６】
このような不具合を防止するため、例えば、電子番組ガイドを受信すると、この電子番組ガイドの全てをチェックして、このチェック結果によって同一放送番組が同一の時間帯に複数存在しないと、各放送サービス毎に該当する放送番組の内容が表示される形式の電子番組ガイドテーブルを作成し、一方、同一放送番組が複数存在すると、複数の放送サービスに渡った同一領域に同一の放送番組内容を１つ表示する形式の電子番組ガイドテーブルを作成して、より容易に放送形態を認識することができるようにしたものがある（例えば、特許文献１参照）。
【０００７】
【特許文献１】特開２００２−１０１６２号公報（第３頁〜第５頁、第１図〜第７図）
【発明の開示】
【発明が解決しようとする課題】
【０００８】
従来の受信装置は以上のように構成されているので、車載用受信装置のようにモニターが小型である際には、放送番組表を一括してモニター上に表示することができず、一つの放送サービス（チャネル）に対応する放送番組表をモニター上に表示し、他の放送サービスに対応する放送番組表をモニター上に表示する際には、スクロール機能によって表示すべき放送番組表を切り替えるようにしている。
【０００９】
ところが、スクロール機能を用いて放送番組表の表示切替を行った際には、前述のように、複数の放送サービスにおいてイベント共有があっても、放送サービス毎に放送番組表の表示切替が行われることになってしまい、結果的に、放送サービス名が異なっても、スクロール前後で同一の放送番組がモニター上に表示されることになってしまい、ユーザが所望の放送番組表をモニター上に表示させるまでに時間が掛かってしまうという課題があった。言い換えると、ユーザが所望の放送番組表を検索してモニター上に表示させるまでに時間が掛かってしまうという課題があった。
【００１０】
この発明は上記のような課題を解決するためになされたもので、ユーザが所望の放送番組表を短時間にモニター上に表示することのできる受信装置を得ることを目的とする。
【課題を解決するための手段】
【００１１】
この発明に係る受信装置は、放送局毎にサービス情報を記憶する記憶手段と、放送番組情報に基づいて放送サービス毎に放送番組表を生成して表示する放送番組表作成手段と、現在表示中の放送番組表とは別の放送サービスに係る放送番組表を表示する際、現在表示中の放送番組表と同一の放送番組表である放送サービスが存在するイベント共有があると、イベント共有が存在しない放送サービスまでにスキップして放送番組表の作成を放送番組表作成手段に指示する指示制御手段とを有することを特徴とするものである。
【発明の効果】
【００１２】
この発明によれば、現在表示中の放送番組表とは別の放送サービスに係る放送番組表を表示する際、現在表示中の放送番組表と同一の放送番組表である放送サービスが存在するイベント共有があると、イベント共有が存在しない放送サービスまでにスキップして放送番組表の作成を行って表示するように構成したので、同一の放送番組を放送する放送サービスに係る放送番組表がスキップされることになって、ユーザは所望の放送番組表を短時間でモニター上に表示することができ、車載用受信装置のように小型のモニターを有する受信装置においても、短時間で所望の放送番組表を表示できるという効果がある。
【発明を実施するための最良の形態】
【００１３】
実施の形態１．
図１はこの発明の実施の形態１による受信装置で受信されるデジタル放送波の一例を示す図であり、一つの放送局（図示せず）からは一つのデジタル放送波が送信されており、このデジタル放送波はトランスポートストリーム（Ｔｒａｎｓｐｏｒｔ  Ｓｔｒｅａｍ：ＴＳ）と呼ばれる。そして、一つのＴＳには少なくとも一つの放送サービス（チャンネル）が含まれている。図１に示す例では、○○テレビ（放送局）から送信されるＴＳには３つの放送サービス（放送サービス名：○○テレビ１、○○テレビ２、○○テレビ３）１１〜１３が含まれ、××放送（放送局）から送信されたＴＳには３つの放送サービス（放送サービス名：××放送１、××放送２、××放送３）１４〜１６が含まれている。そして、放送サービス名にはサービス識別番号１７が付与されている。
【００１４】
図１においては、縦軸を時間とし、横軸をチャネル（放送サービス名）として、各放送サービス名１１〜１６毎に放送番組を示す放送番組表が割り当てられ、ここでは、ＨＤ番組及びＳＤ番組はイベント１８と呼ばれる。図示のように、デジタル放送においては、一つの放送局において放送サービス毎にＳＤ番組を放送し、一方、全ての放送サービスについて同一のＨＤ番組を放送することが行われており、一つのＴＳで一つのＨＤ番組を放送するか又は各放送サービス毎にそれぞれＳＤ番組を放送する。そして、一つのＴＳで一つのＨＤ番組を放送される際には、複数の放送サービスにおいて同一のＨＤ番組が共有されることになる（イベント共有）。
【００１５】
図２は本発明の実施の形態１による受信装置の一例を示すブロック図であり、図示の受信装置はデジタル放送を受信するための受信装置である。デジタル放送では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いており、ＴＳには、デジタル映像信号、デジタル音声信号、及びサービス情報（Ｓｅｒｖｉｃｅ＿Ｉｎｆｏｒｍａｔｉｏｎ：ＳＩ情報）が含まれており、このＳＩ情報には、例えば、送信チャンネル（送信周波数）、放送サービス名（サービス識別番号）、及び放送番組情報等を示すデータが含まれている。
【００１６】
図２において、受信装置２０は、チューナ２１、直交周波数分割多重（ＯＦＤＭ）復調部２２、デマルチプレクサ２３、オーディオデコーダ２４、ビデオデコーダ２５、音声制御部２６、映像制御部２７、ＧＵＩ（Ｇｒａｐｈｉｃ  Ｕｓｅｒ  Ｉｎｔｅｒｆａｃｅ）部２８、メモリ（記憶手段）２９、制御ＣＰＵ３０、及びリモコン制御部３１を備えている。チューナ２１で選局されたチャンネルの放送サービスに係るデジタル放送波はアンテナ３２を介して受信され、チューナ２１において選局対象であるデジタル放送波の周波数成分が抽出されて、ＯＦＤＭ復調部２２においてデジタル信号に復調され、ＴＳとしてデマルチプレクサ２３に与えられる。
【００１７】
デマルチプレクサ２３では、ＴＳからオーディオストリーム、ビデオストリーム、及びＳＩ情報を分離して、これらオーディオストリーム、ビデオストリーム、及びＳＩ情報をそれぞれオーディオデコーダ２４、ビデオデコーダ２５、制御ＣＰＵ３０に与える。オーディオデコーダ２４ではオーディオストリームをデコードして、オーディオ復号化信号として音声制御部２６に与える。そして、音声制御部２６ではオーディオ復号化信号をアナログ音声信号として出力する。
【００１８】
同様にして、ビデオデコーダ２５ではビデオストリームをデコードして、ビデオ復号化信号として映像制御部２７に与える。そして、映像制御部２７ではビデオ復号化信号をアナログビデオ信号とする。一方、制御ＣＰＵ３０では、ＳＩ情報から放送番組情報を抽出して、この放送番組情報をＧＵＩ部２８に渡す。ＧＵＩ部２８では、例えば、放送番組情報に応じて放送番組表を生成し、この放送番組表を映像制御部２７に与える。映像制御部２７では前述のアナログビデオ信号と放送番組表を合成して合成信号として出力することになる。
【００１９】
また、制御ＣＰＵ３０では、ＳＩ情報から抽出した送信チャネル、放送サービス名（サービス識別番号）、及び放送番組情報対象地域を表すデータをメモリ２９に保存することになる。なお、ユーザが選局の際リモコン（図示せず）を操作すると、その選局コマンドがリモコン制御部３１から制御ＣＰＵ３０に与えられて、制御ＣＰＵ３０は選局コマンドに応じてチューナ２１又はＧＵＩ部２８を制御してチューナ２１によって選局を行い、ＧＵＩ部２８によって前述したように放送番組表を合成する（また、ＧＵＩ部２８によってメニュー画面が生成される）。
【００２０】
さらに、ＯＦＤＭ復調部２２、デマルチプレクサ２３、オーディオデコーダ２４、ビデオデコーダ２５、音声制御部２６、及び映像制御部２７は、リモコン制御部３１から制御ＣＰＵ３０に与えられる制御コマンドによって制御される。
【００２１】
図示の受信装置２０は、スクロール機能機能を有しており、後述するようにして、このスクロール機能によって、モニター（図示せず）に表示される放送番組表をスクロール表示し、ユーザはモニターに表示される放送番組表を参照して、所望の放送サービスを選局することになる。
【００２２】
図３は制御ＣＰＵ３０の構成の一例を示すブロック図であり、制御ＣＰＵ３０は、ＳＩ書き込み／読み出し部３０ａ、番組表作成部３０ｂ、番組表表示指示入力部３０ｃ、番組表スクロール部３０ｄ、イベント共有検出部３０ｅ、及び番組表スクロール指示入力部３０ｆを有しており、デジタル放送の視聴中に取得したＳＩ情報は、ＳＩ書き込み／読み出し部３０ａによって、ＴＳ毎にメモリ１９に保存される。さらに、受信装置２０がスタンバイ状態の際においても、各放送局をスキャンして取得したＳＩ情報がＳＩ書き込み／読み出し部３０ａによってメモリ２９にＴＳ毎に保存される。このようにして、メモリ２９にはＴＳ毎のＳＩ情報が保存されることになる。
【００２３】
ユーザのリモコン操作によって、番組表表示指示コマンドがリモコン制御部３１から制御ＣＰＵ３０に与えられると、番組表表示指示入力部３０ｃでこの番組表表示指示コマンドが検知されて、これによって、番組表作成部３０ｂは、ＳＩ書き込み／読み出し部３０ａを制御してメモリ２９をアクセスし、現在視聴中の放送サービスに係るＳＩ情報を得て、このＳＩ情報に応じてリスト形式の放送番組表を作成する。そして、この放送番組表はＧＵＩ部２８に渡され、ここで画像データに変換されて、前述のように、モニター上に表示される。
【００２４】
一方、ユーザのリモコン操作によって、番組表スクロール指示コマンドがリモコン制御部３１から制御ＣＰＵ３０に与えられると、番組表スクロール指示入力部３０ｆでこの番組表スクロール指示コマンドが検知されて、これによって、イベント共有検出部３０ｅではＳＩ書き込み／読み出し部３０ａを制御してメモリ２９をアクセスし、メモリ２９に保存されたＳＩ情報に応じて現在視聴中の放送サービスと他の放送サービスとに間にイベント共有が存在するか否かを判定して、この判定結果に応じて番組表スクロール部３０ｄでは放送番組表をスキップするか否かを決定し、この決定に応じて番組表作成部３０ｂでは、前述のようにして、ＳＩ書き込み／読み出し部３０ａを制御してメモリ２９をアクセスし、現在視聴中の放送サービスに係るＳＩ情報を得て、このＳＩ情報に応じてリスト形式の放送番組表を作成することになる。
【００２５】
次に動作について説明する。
図３〜図５を参照して、いま、ユーザは受信装置２０において、図５に示す放送サービス名○○テレビ１を視聴しているものとする。番組表表示指示入力部３０ｃでは番組表表示指示コマンドが入力されたか否かを検知しており（ステップＳＴ１）、番組表表示指示コマンドを検知すると、番組表表示指示入力部３０ｃでは番組表作成指示を番組表作成部３０ｂに与える。そして、番組表作成部３０ｂでは、現在視聴中の放送サービスに係るＳＩ情報をメモリ２９から得て、このＳＩ情報に応じてリスト形式の放送番組表を作成して、ＧＵＩ部２８を介して放送番組表をモニターに表示する（番組表表示：ステップＳＴ２）。具体的には、図５に示す放送サービス名○○テレビ１に係る放送番組表がモニターに表示されることになる。
【００２６】
続いて、番組表表示指示入力部３０ｃでは、番組表消去コマンドが入力されたか否かを監視して（ステップＳＴ３）、番組表消去コマンドが入力されると、番組表表示指示入力部３０ｃでは番組表消去指示を番組表作成部３０ｂに与える。そして、番組表作成部３０ｂでは、現在モニター上に表示されている放送番組表の表示を停止する（消去：ステップＳＴ４）。一方、番組表消去コマンドが入力されない状態で、番組表スクロール指示コマンドが入力されると、つまり、番組表スクロール指示入力部３０ｆで番組表スクロール指示コマンドが検知されると（ステップＳＴ５）、番組表スクロール指示入力部３０ｆはイベント共有検出部３０ｅに共有検知指示を与える。そして、イベント共有検出部３０ｅではメモリ２９に保存されたＳＩ情報に応じて現在視聴中の放送サービスと他の放送サービスとに間にイベント共有が存在するか否かを判定する（ステップＳＴ６）。
【００２７】
例えば、ステップＳＴ６においては、イベント共有検出部３０ｅでは、モニターに表示中の放送番組表（ＳＩ情報）とこの次に位置する放送サービス名に係る放送番組表（ＳＩ情報）とを比較して、イベント共有が生じているか否かを判定することになる。その結果、イベント共有が発生していないと、イベント共有検出部３０ｅは判定結果として非イベント共有判定を番組表スクロール部３０ｄに与える。
【００２８】
番組表スクロール部３０ｄでは、非イベント共有判定を受けると、現在表示中の放送番組表の次に位置する放送サービス名に対応する放送番組をスクロール表示することを決定し、この決定に応じて番組表作成部３０ｂでは、メモリ２９から現在視聴中の放送サービスの次に位置する放送サービスに係るＳＩ情報を得て、このＳＩ情報に応じてリスト形式の放送番組表を作成して、ＧＵＩ部２８を介してモニターに表示する（ステップＳＴ７）。
【００２９】
一方、イベント共有が存在すると判定すると、イベント共有検出部３０ｅでは、さらに、イベント共有判定を行い、順次メモリ２９中のＳＩ情報をＳＩ書き込み／読み出し部３０ａを介して調べて、イベント共有が存在しない放送サービス名をメモリ２９中のＳＩ情報から検索する。そして、イベント共有検出部３０ｅはイベント共有判定とともに、現在視聴中の放送サービスとイベント共有が存在しない放送サービス名を番組表スクロール部３０ｄに渡す。
【００３０】
番組表スクロール部３０ｄでは、イベント共有判定に応じてスキップを行うことを決定し、イベント共有が存在しない放送サービス名までスキップすることを番組表作成部３０ｂに指示する。そして、番組表作成部３０ｂでは、メモリ２９から、イベント共有が存在しない放送サービス名に係るＳＩ情報を得て、このＳＩ情報に応じてリスト形式の放送番組表を作成して、ＧＵＩ部２８を介してモニターに表示する（ステップＳＴ８）。
【００３１】
このようにして、イベント共有が存在すると、当該イベント共有に対応する放送サービス名をスキップして、イベント共有が存在しない放送サービスに係る放送番組表をモニターに表示することになり、ユーザが所望する放送番組を短時間でモニターに表示することができることになる。なお、図５に示す例においては、イベント共有が存在する際には、ＨＤ番組が送信されていることになるから、同一の放送局から送信される放送サービス名○○テレビ１と放送サービス名○○テレビ２とにイベント共有が存在すれば、同一放送局の他の放送サービス名とのイベント共有を調べる必要はなく、別の放送局から送信される放送サービス名××放送１にスキップすることになる。
【００３２】
このため、図６に示すように、制御ＣＰＵ３０が別に放送局判定部３０ｇを備えて、イベント共有検出部３０ｅでイベント共有が検出されると、放送局判定部３０ｇではＳＩ書き込み読み出し部３０ａを介してメモリ２９をアクセスして、次に位置する放送サービスが同一の放送局から送信されているか否かを判定する。そして、番組表スクロール部３０ｄでは、放送局判定部３０ｇによって同一の放送局から送信されている判定されると、当該放送局から送信される放送サービスを全てスキップして、当該放送局とは別の放送局の放送サービスに係る放送番組を作成するように番組表作成部３０ｂに指示するようにしてもよい。このようにすれば、より短時間に所望の番組表を表示できることになる。
【００３３】
なお、上述の説明から明らかなように、番組表作成部３０ｂ、番組表表示指示入力部３０ｃ、及びＧＵＩ部２８が放送番組表作成手段として機能し、番組表スクロール部３０ｄ、イベント共有検出部３０ｅ、及び番組表スクロール指示入力部３０ｆが指示制御手段として機能することになる。
【００３４】
以上のように、この実施の形態１によれば、現在表示中の放送番組表とは別の放送サービスに係る放送番組表を表示する際、つまり、スクロール表示を行う際、現在表示中の放送番組表と同一の放送番組表である放送サービスが存在するイベント共有が発生すると、イベント共有でない放送サービスまでにスキップして放送番組表の作成を行うようにしたので、同一の放送番組を放送する放送サービスに係る放送番組表がスキップされて、その結果、ユーザは所望の放送番組表を短時間でモニター上に表示することができるという効果がある。
【００３５】
この実施形態１によれば、番組表スクロール指示コマンドを受けた際、現在表示中の放送番組表とイベント共有にある放送サービスを検出してイベント共有の存在を検出するようにしたので、ユーザは放送番組表をスクロール表示する際、同一の放送番組を放送する放送サービスを避けて放送番組表をモニター上に表示することができるという効果がある。
【００３６】
この実施の形態１によれば、イベント共有が検出された際、このイベント共有が同一の放送局から放送される放送サービス間で存在するか否かを判定して、同一の放送局から放送される放送サービス間でイベント共有が存在すると判定されると、別の放送局で放送される放送サービスにスキップして放送番組表の作成を行うようにしたので、イベント共有が存在する際には、直ちに別の放送局から放送される放送サービスにスキップすることになって、より短時間で所望の放送番組表を短時間でモニター上に表示することができるという効果がある。
【図面の簡単な説明】
【００３７】
【図１】この発明の実施の形態１による受信装置で受信されるデジタル放送における放送サービスの構成の一例を示す図である。
【図２】この発明の実施の形態１による受信装置の構成を示すブロック図である。
【図３】図２に示す受信装置中の制御ＣＰＵの一例を詳細に示すブロック図である。
【図４】図２に示す受信装置の動作の一例を説明するためのフローチャートである。
【図５】図２に示す受信装置において放送サービスをスキップしてその放送番組表を表示する例を示す図である。
【図６】図２に示す受信装置中の制御ＣＰＵの他の例を説明するためのブロック図である。
【符号の説明】
【００３８】
１１〜１６  放送サービス、１７  サービス識別番号、１８  イベント、２０  受信装置、２１  チューナ、２２  直交周波数分割多重（ＯＦＤＭ）復調部、２３  デマルチプレクサ、２４  オーディオデコーダ、２５  ビデオデコーダ、２６  音声制御部、２７  映像制御部、２８  ＧＵＩ（Ｇｒａｐｈｉｃ  Ｕｓｅｒ  Ｉｎｔｅｒｆａｃｅ）部、２９  メモリ、３０  制御ＣＰＵ、３０ａ  ＳＩ書き込み／読み出し部、３０ｂ  番組表作成部、３０ｃ  番組表表示指示入力部、３０ｄ  番組表スクロール部、３０ｅ  イベント共有検出部、３０ｆ  番組表スクロール指示入力部、３０ｇ  放送局判定部、３１  リモコン制御部。
【図１】
2006080656.tif 000003
【図２】
2006080656.tif 000004
【図３】
2006080656.tif 000005
【図４】
2006080656.tif 000006
【図５】
2006080656.tif 000007
【図６】
2006080656.tif 000008